(57)【要約】【課題】  放送局毎の放送電波の音質が好ましい音質に揃い、選局する都度、音質補正を行わなくても聴き易い放送受信装置の提供。【解決手段】  放送電波に同調する同調回路１と、同調回路１が同調した放送電波を音声信号に復調する復調回路１と、復調回路１が復調した音声信号の周波数特性を調節する調節手段１０ａとを備え、調節手段１０ａが調節した周波数特性に基づく音声を出力する放送受信装置。放送電波の変調度を検出する検出回路２と、放送電波から復調される音声信号の周波数特性を、検出回路が検出した変調度に応じて設定する設定手段４，１０ａとを備え、調節手段１０ａは、設定手段４，１０ａが設定した周波数特性に調節する構成である。【選択図】        図１
2005252726.tif 000002
【特許請求の範囲】
【請求項１】
放送電波に同調する同調回路と、該同調回路が同調した放送電波を音声信号に復調する復調回路と、該復調回路が復調した音声信号の周波数特性を調節する調節手段とを備え、該調節手段が調節した周波数特性に基づく音声を出力すべくなしてある放送受信装置において、
前記放送電波の変調度を検出する検出回路と、該放送電波から復調される音声信号の周波数特性を、前記検出回路が検出した変調度に応じて設定する設定手段とを備え、前記調節手段は、該設定手段が設定した周波数特性に調節すべくなしてあることを特徴とする放送受信装置。
【請求項２】
受信すべき放送電波の周波数を記憶する記憶手段と、該記憶手段が記憶する周波数の放送電波に同調する同調回路と、該同調回路が同調した放送電波を音声信号に復調する復調回路と、該復調回路が復調した音声信号の周波数特性を調節する調節手段とを備え、該調節手段が調節した周波数特性に基づく音声を出力すべくなしてある放送受信装置において、
前記放送電波の変調度を検出する検出回路と、該放送電波から復調される音声信号の周波数特性を、前記検出回路が検出した変調度に応じて設定する設定手段とを備え、前記記憶手段は、前記放送電波の周波数に対応させて、前記設定手段が設定した周波数特性を記憶し、前記同調回路が前記周波数に同調するときは、前記調節手段は、前記周波数に対応させた周波数特性に調節すべくなしてあることを特徴とする放送受信装置。
【請求項３】
前記設定手段は、前記変調度の浅さ（深さ）に応じて高域部（低域部）を減衰させた周波数特性に調節すべくなしてある請求項１又は２記載の放送受信装置。
【請求項４】
前記設定手段は、前記変調度が第１変調度より浅い場合は、浅さに応じて高域部を減衰させた周波数特性に調節し、前記変調度が、前記第１変調度より深い第２変調度より深い場合は、深さに応じて低域部を減衰させた周波数特性に調節すべくなしてある請求項１又は２記載の放送受信装置。
【発明の詳細な説明】
【技術分野】
【０００１】
本発明は、ＡＭラジオ受信機等の放送受信装置の改良に関し、特に車両に搭載される車載ラジオに適用して好適な放送受信装置に関するものである。
【背景技術】
【０００２】
従来のＡＭラジオ受信機では、受信周波数をユーザの手動操作により、又は「オートプリセット」機能により設定していた。「オートプリセット」機能は、設定時（プリセット時）に放送電波の周波数を自動スキャンして、電界強度が所定値より大きい放送電波の周波数をメモリに記憶させ、各周波数にそれぞれ選局釦を割当てる。これにより、ユーザは、選局釦を押すことにより選局することが出来る。
特許文献１には、放送局の変調度の違いなどによる、チャンネル間の音量差をチャンネル選択時に自動的に補正する音量調整装置が開示されている。
【０００３】
特許文献２には、多衛星受信においても、チャンネル変更時に適正音量で受信することが出来る衛星放送受信機が開示されている。特許文献３には、放送局又はビデオ入力の切換え時に、放送局又はビデオ入力毎に、最適な画質及び音量を保つことが出来るテレビジョン受像機が開示されている。
【特許文献１】特開平７−２２２０７８号公報
【特許文献２】特開平８−７９６５２号公報
【特許文献３】特開平９−３７１７４号公報
【発明の開示】
【発明が解決しようとする課題】
【０００４】
ＡＭ（振幅変調）放送では、放送局毎に送信電波の変調度の深さ（大きさ）が異なり、それにより、放送局毎にＡＭラジオ受信機の受信電波による音質が異なるという特徴がある。例えば、変調度が深い（大きい）放送局からの受信電波の音質は、中低音域が厚くなり、音声がややこもった感じに聴こえることがある。一方、変調度の浅い（小さい）放送局からの受信電波の音質は、中低音域が薄くなり、高音域が強調されて聴こえることがある。
【０００５】
従来のＡＭラジオ受信機では、上述したように、周波数と選局釦とを対応させてメモリに記憶させプリセットされるだけなので、変調度が深い放送局／浅い放送局に関係なく、各放送局の放送電波の周波数はメモリに記憶され、これを選局釦により選局するようになっており、音質が放送局毎に異なっているという問題がある。その為、場合によっては、選局する都度、周波数特性調節つまみ（バス調節つまみ／トレブル調節つまみ）等により、周波数特性を調節しなければならないという問題があった。
本発明は、上述したような事情に鑑みてなされたものであり、放送局毎の放送電波の音質が好ましい音質に揃い、選局する都度、音質補正を行わなくても聴き易い放送受信装置を提供することを目的とする。
【課題を解決するための手段】
【０００６】
第１発明に係る放送受信装置は、放送電波に同調する同調回路と、該同調回路が同調した放送電波を音声信号に復調する復調回路と、該復調回路が復調した音声信号の周波数特性を調節する調節手段とを備え、該調節手段が調節した周波数特性に基づく音声を出力すべくなしてある放送受信装置において、前記放送電波の変調度を検出する検出回路と、該放送電波から復調される音声信号の周波数特性を、前記検出回路が検出した変調度に応じて設定する設定手段とを備え、前記調節手段は、該設定手段が設定した周波数特性に調節すべくなしてあることを特徴とする。
【０００７】
この放送受信装置では、同調回路が放送電波に同調し、復調回路が、同調回路が同調した放送電波を音声信号に復調する。調節手段が、復調回路が復調した音声信号の周波数特性を調節し、調節手段が調節した周波数特性に基づく音声を出力する。検出回路が、放送電波の変調度を検出し、設定手段が、放送電波から復調される音声信号の周波数特性を、検出回路が検出した変調度に応じて設定する。調節手段は、設定手段が設定した周波数特性に調節する。
【０００８】
第２発明に係る放送受信装置は、受信すべき放送電波の周波数を記憶する記憶手段と、該記憶手段が記憶する周波数の放送電波に同調する同調回路と、該同調回路が同調した放送電波を音声信号に復調する復調回路と、該復調回路が復調した音声信号の周波数特性を調節する調節手段とを備え、該調節手段が調節した周波数特性に基づく音声を出力すべくなしてある放送受信装置において、前記放送電波の変調度を検出する検出回路と、該放送電波から復調される音声信号の周波数特性を、前記検出回路が検出した変調度に応じて設定する設定手段とを備え、前記記憶手段は、前記放送電波の周波数に対応させて、前記設定手段が設定した周波数特性を記憶し、前記同調回路が前記周波数に同調するときは、前記調節手段は、前記周波数に対応させた周波数特性に調節すべくなしてあることを特徴とする。
【０００９】
この放送受信装置では、記憶手段が、受信すべき放送電波の周波数を記憶し、同調回路が、記憶手段が記憶する周波数の放送電波に同調する。復調回路が、同調回路が同調した放送電波を音声信号に復調し、調節手段が、復調回路が復調した音声信号の周波数特性を調節し、調節手段が調節した周波数特性に基づく音声を出力する。検出回路が、放送電波の変調度を検出し、設定手段が、放送電波から復調される音声信号の周波数特性を、検出回路が検出した変調度に応じて設定する。記憶手段が、放送電波の周波数に対応させて、設定手段が設定した周波数特性を記憶し、同調回路が、記憶された周波数に同調するときは、調節手段が、記憶された周波数に対応させた周波数特性に調節する。
【００１０】
第３発明に係る放送受信装置は、前記設定手段は、前記変調度の浅さ（深さ）に応じて高域部（低域部）を減衰させた周波数特性に調節すべくなしてあることを特徴とする。
【００１１】
この放送受信装置では、設定手段は、変調度の浅さに応じて高域部を減衰させた周波数特性に調節し、変調度の深さに応じて低域部を減衰させた周波数特性に調節する。
【００１２】
第４発明に係る放送受信装置は、前記設定手段は、前記変調度が第１変調度より浅い場合は、浅さに応じて高域部を減衰させた周波数特性に調節し、前記変調度が、前記第１変調度より深い第２変調度より深い場合は、深さに応じて低域部を減衰させた周波数特性に調節すべくなしてあることを特徴とする。
【００１３】
この放送受信装置では、設定手段は、検出回路が検出した変調度が第１変調度より浅い場合は、浅さに応じて高域部を減衰させた周波数特性に調節し、変調度が、第１変調度より深い第２変調度より深い場合は、深さに応じて低域部を減衰させた周波数特性に調節する。
【発明の効果】
【００１４】
第１発明に係る放送受信装置によれば、放送局毎の放送電波の音質が好ましい音質に揃い、選局する都度、音質補正を行わなくても聴き易い放送受信装置を実現することが出来る。また、車載ラジオの場合、遠隔地へドライブして、普段受信しない放送電波を受信したときでも、好ましい音質にすることが出来、音質補正を行わなくても聴き易くすることが出来る。車載ラジオでない場合、地方毎の受信可能な受信周波数リストをＲＯＭに記憶させておき、地方毎に受信周波数リストを設定するラジオ受信機があるが、そのようなラジオ受信機でも受信したときに、好ましい音質にすることが出来、音質補正を行わなくても聴き易くすることが出来る。
【００１５】
第２発明に係る放送受信装置によれば、受信周波数をプリセットすることにより、放送局毎の放送電波の音質が好ましい音質に揃い、選局する都度、音質補正を行わなくても聴き易い放送受信装置を実現することが出来る。また、車載ラジオの場合、遠隔地へドライブしたときに、受信周波数をプリセットすることにより、普段受信しない放送電波を受信したときでも、好ましい音質にすることが出来、音質補正を行わなくても聴き易くすることが出来る。
【００１６】
第３発明に係る放送受信装置によれば、放送局毎の放送電波の音質が好ましい音質に揃い、選局する都度、音質補正を行わなくても聴き易い放送受信装置を実現することが出来る。また、変調度に応じて、高音域部又は低音域部を減衰させるので、低音域部又は高音域部を増幅させてノイズも共に増幅してしまう場合に比べて、ノイズを小さくすることが出来る。
【００１７】
第４発明に係る放送受信装置によれば、変調度が第１変調度より浅い場合は、浅さに応じて高域部を減衰させた周波数特性に音声信号を調節し、変調度が、第１変調度より深い第２変調度より深い場合は、深さに応じて低域部を減衰させた周波数特性に音声信号を調節し、放送電波の音質が好ましい、第１変調度より深く第２変調度より浅い変調度では、周波数特性を調節しないので、放送局毎の放送電波の音質が好ましい音質に揃い、選局する都度、音質補正を行わなくても聴き易い放送受信装置を実現することが出来る。また、変調度に応じて、高音域部又は低音域部を減衰させるので、低音域部又は高音域部を増幅させてノイズも共に増幅してしまう場合に比べて、ノイズを小さくすることが出来る。また、第１変調度及び第２変調度を可変にすることにより、放送電波の音質をユーザの好みの音質に揃えることが出来る。
【発明を実施するための最良の形態】
【００１８】
以下に、本発明をその実施の形態を示す図面に基づいて説明する。
図１は、本発明に係る放送受信装置の実施の形態であるＡＭラジオ受信機の構成例を示すブロック図である。このＡＭラジオ受信機は、操作部８として、ユーザが操作する為の電源釦１１、音量調節つまみ１２、バス調節釦１４、トレブル調節釦１５、オートプリセット釦１６、バス調節モード／トレブル調節モード等のモード切換スイッチ１７及び選局釦１８を備え、表示部９として、ＬＥＤ素子を用いてなる表示ランプ２０、及び受信周波数等を表示する液晶ディスプレイ１９を備えている。表示部９及び後述する各部は、ユーザの操作部８における操作に応じて、マイクロコンピュータ４により制御される。
マイクロコンピュータ４は、オートプリセット釦１６の操作によるオートプリセット時に、マイクロコンピュータ４が設定した受信すべき放送電波の周波数等を記憶するメモリ７を内蔵している。
【００１９】
チューナ部１（（例）ミツミ電機；ＦＡＥ３７６−Ａ０１／Ｅ０１／Ｊ０１）は、選局釦１６が操作されたときに、操作された選局釦１６に応じた、メモリ７に記憶されている周波数に、アンテナ１０が受信した放送電波を同調させる同調回路と、同調した放送電波を音声信号に復調する復調回路とを有し、復調回路が復調した復調信号の電界強度を示す電圧をＳメータ出力として出力する。Ｓメータ出力はマイクロコンピュータ４に与えられ、マイクロコンピュータ４は、Ｓメータ出力により放送電波の変調度を検出する。
【００２０】
プリアンプ部３（電子ボリューム、ＤＳＰ、アナログＩＣ等を含む）は、マイクロコンピュータ４の出力に基づき音声信号の出力レベルを調節する音量調節部１０と、チューナ部１が復調した音声信号の周波数特性を、マイクロコンピュータ４の出力に基づき調節する周波数特性調節部１０ａとを有する。プリアンプ部３が調節した音声信号は、メインアンプ部５（増幅器）で増幅され、増幅された音声信号は、スピーカ６で音声に変換され出力される。
【００２１】
マイクロコンピュータ４は、オートプリセット釦１６が操作されたことを検知して、チューナ部１に放送電波の周波数を自動スキャンさせ、電界強度が所定値より大きい放送電波の周波数をメモリ７に記憶し、各周波数にそれぞれ選局釦１８を割り当てるオートプリセット時に、検出した各変調度に応じた各周波数特性を、放送局の周波数に対応させて、メモリ７に記憶する。変調度に応じた周波数特性は、周波数特性調節部１０ａの設定状態として、変調度に対応させたテーブルにしてメモリ７に記憶しておく。
【００２２】
以下に、このような構成のラジオ受信機のオートプリセット時の動作の例を、それを示す図２のフローチャートを参照しながら説明する。
オートプリセット釦１６が操作されて、オートプリセット動作に入ると、マイクロコンピュータ４は、チューナ部１に放送電波を自動スキャンさせて、電界強度が所定値より大きい電波を探索させ、チューナ部１が、電界強度が所定値より大きい電波に同調したときは、同調した周波数に選局釦１８を自動的に割り当てる（Ｓ２）。
【００２３】
マイクロコンピュータ４は、一方、同調した周波数の電波の変調度を検出し（Ｓ４）、検出した変調度が所定の第１，２変調度より深いか浅いかを判定する（Ｓ６）。
マイクロコンピュータ４は、検出した変調度が、第１変調度（例えば６０％）より浅いときは（Ｓ６）、その電波の音声信号の周波数特性の高音域部を、周波数特性図である図３の矢符Ａに示すように、変調度の浅さに応じて、標準的な周波数特性より減衰させる（浅い程、より減衰させる）（Ｓ１０）。次いで、その高音域部を減衰させた周波数特性を、同調し選局釦１８に割り当てた周波数（Ｓ２）に対応させて、メモリ７に記憶して設定し（Ｓ１２）、ＡＭ放送の放送電波を自動スキャンし終えたか否かを判定する（Ｓ１４）。
【００２４】
マイクロコンピュータ４は、検出した変調度が、第１変調度より深い第２変調度（例えば８０％）より深いときは（Ｓ６）、その電波の音声信号の周波数特性の低音域部を、図３の矢符Ｂに示すように、変調度の深さに応じて、標準的な周波数特性より減衰させる（深い程、より減衰させる）（Ｓ８）。次いで、その低音域部を減衰させた周波数特性を、同調し選局釦１８に割り当てた周波数（Ｓ２）に対応させて、メモリ７に記憶して設定し（Ｓ１２）、ＡＭ放送の放送電波を自動スキャンし終えたか否かを判定する（Ｓ１４）。
【００２５】
マイクロコンピュータ４は、検出した変調度が、第１変調度より深く、第２変調度より浅いときは（Ｓ６）、その電波の音声信号の周波数特性を変更せず、その変更しない標準的な周波数特性を、同調し選局釦１８に割り当てた周波数（Ｓ２）に対応させて、メモリ７に記憶して設定し（Ｓ１２）、ＡＭ放送の放送電波を自動スキャンし終えたか否かを判定する（Ｓ１４）。
【００２６】
マイクロコンピュータ４は、ＡＭ放送の放送電波を自動スキャンし終えたときは（Ｓ１４）リターンする。自動スキャンし終えていないときは、チューナ部１に放送電波を自動スキャンさせて、電界強度が所定値より大きい電波を探索させ、電界強度が所定値より大きい電波に同調したときは、同調した周波数に選局釦１８を自動的に割り当てる（Ｓ２）。
【００２７】
このＡＭラジオ受信機は、ユーザが選局釦１８の何れかを操作すると、マイクロコンピュータ４は、その操作された選局釦１８に対応する周波数と周波数特性をメモリ７から読み出し、読み出した周波数の電波にチューナ部１の同調回路を同調させる。チューナ部１の復調回路は、その同調した電波を音声信号に復調して、電子ボリューム３に与える。
マイクロコンピュータ４は、一方、読み出した周波数特性を周波数特性調節部１０ａに設定する。
【００２８】
プリアンプ部３は、復調回路から与えられた音声信号の周波数特性を周波数特性調節部１０ａで調節すると共に、その音声信号の音量を音量調節部１０で調節してメインアンプ部５に与え、メインアンプ部５は、与えられた音声信号を増幅して、スピーカ６から音声として出力する。
【００２９】
尚、上述した実施の形態では、変調度が、第１変調度より浅いときは、音声信号の高音域部を変調度の浅さに応じて減衰させ、第２変調度より深いときは、音声信号の低音域部を変調度の深さに応じて減衰させているが、第１変調度より浅いときは、高音域部を浅さによらず一律に減衰させ、第２変調度より深いときは、低音域部を深さによらず一律に減衰させるようにしても良い。
また、上述した実施の形態では、変調度の浅さ（深さ）に応じて高域部（低域部）を減衰させているが、その逆に、変調度の浅さ（深さ）に応じて低域部（高域部）を増幅させた周波数特性に調節するように構成することも可能である。
【００３０】
また、上述した実施の形態では、オートプリセット時に、放送電波の周波数と、検出した変調度に応じた音声信号の周波数特性とを対応させてメモリ７に記憶するようにしているが、オートプリセット時にではなく、放送電波に同調する都度、変調度を検出し、検出した変調度に応じた音声信号の周波数特性を周波数特性調節回路に設定するようにすることも可能である。
【００３１】
これにより、オートプリセット機能が付加されておらず、地方毎の受信可能な受信周波数リストをＲＯＭに記憶させておき、地方毎に受信周波数リストを設定するラジオ受信機でも、受信した電波を好ましい音質にすることが出来、音質補正を行わなくても聴き易くすることが出来る。また、オートプリセット機能も上述したＲＯＭも付加されていないラジオ受信機でも、受信した電波を好ましい音質にすることが出来、音質補正を行わなくても聴き易くすることが出来る。
【００３２】
以上により、受信地点による受信状況に依らず、受信した電波を好ましい音質にして聴き易く出来るラジオを実現することが出来る。
【図面の簡単な説明】
【００３３】
【図１】本発明に係る放送受信装置の実施の形態であるＡＭラジオ受信機の構成例を示すブロック図である。
【図２】本発明に係る放送受信装置の実施の形態であるＡＭラジオ受信機の動作の例を示すフローチャートである。
【図３】本発明に係る放送受信装置の実施の形態であるＡＭラジオ受信機の動作を説明する為の音声信号の周波数特性図である。
【符号の説明】
【００３４】
１  チューナ部
３  プリアンプ部（電子ボリューム）
４  マイクロコンピュータ
５  メインアンプ部（増幅器）
６  スピーカ
７  メモリ（記憶手段）
８  操作部
９  表示部
１０  音量調節部
１０ａ  周波数特性調節部
１６  オートプリセット釦
１８  選局釦
２１  アンテナ
【図１】
2005252726.tif 000003
【図２】
2005252726.tif 000004
【図３】
2005252726.tif 000005